(57)【要約】【課題】計測機器により単位が異なる場合にも、単位の違いを意識することなくエネルギー使用量の演算を行う。【解決手段】単位テーブルを作成・記憶する単位テーブル作成／記憶手段１１と、各計測機器からエネルギーデータを収集するエネルギーデータ収集手段１２と、集計、表示対象のエネルギーデータを設定する集計・表示設定手段１３と、集計、表示する際の単位を設定する単位設定手段１５と、集計、表示対象の各エネルギーデータを抽出するエネルギーデータ抽出手段１６と、単位テーブルに基づき抽出された各エネルギー使用量を設定された単位に換算する単位換算手段１７と、集計対象の場合に各エネルギー使用量を集計するエネルギー使用量集計手段１８と、換算された各エネルギー使用量または集計されたエネルギー使用量に基づき、エネルギー使用量表示画面の生成・出力を行うエネルギー使用量表示手段１９とを備えた。【選択図】図１
2012043174.tif 000002
【特許請求の範囲】
【請求項１】
各エネルギー種別のエネルギー使用量に使用される複数の単位の換算関係を示す単位テーブルを作成・記憶する単位テーブル作成／記憶手段と、
施設内の各計測機器により計測されたエネルギー使用量および単位を含むエネルギーデータを収集するエネルギーデータ収集手段と、
前記エネルギーデータ収集手段により収集された各エネルギーデータの中から、エネルギー使用量を集計または表示するエネルギーデータを設定する集計・表示設定手段と、
エネルギー使用量を集計または表示する際に使用する単位を設定する単位設定手段と、
前記エネルギーデータ収集手段により収集されたエネルギーデータの中から、前記集計・表示設定手段により集計対象または表示対象に設定された各エネルギーデータを抽出するエネルギーデータ抽出手段と、
前記単位テーブル作成／記憶手段に記憶された単位テーブルおよび前記エネルギーデータ抽出手段により抽出された各エネルギーデータに含まれる単位に基づいて、対応する各エネルギー使用量を、前記単位設定手段により設定された単位に換算する単位換算手段と、
前記集計・表示設定手段により集計対象に設定されている場合に、前記単位換算手段により単位が換算された各エネルギー使用量を集計するエネルギー使用量集計手段と、
前記集計・表示設定手段により表示対象に設定されている場合には前記単位換算手段により単位が換算された各エネルギー使用量に基づいて、前記集計・表示設定手段により集計対象に設定されている場合には前記エネルギー使用量集計手段により集計されたエネルギー使用量に基づいて、エネルギー使用量表示画面の生成・出力を行うエネルギー使用量表示手段と
を備えたエネルギー使用量管理装置。
【請求項２】
前記単位テーブル作成／記憶手段に記憶された単位テーブルに基づいて、前記集計・表示設定手段により集計対象または表示対象に設定された各エネルギーデータに含まれる単位の中に、異なるエネルギー種別の単位が存在すると判断した場合に、集計または表示できない旨を通知する設定ミス通知手段をさらに備えた
ことを特徴とする請求項１記載のエネルギー使用量管理装置。
【請求項３】
各エネルギー種別のエネルギー使用量に使用される複数の単位の換算関係を示す単位テーブルを作成・記憶する単位テーブル作成／記憶ステップと、
施設内の各計測機器により計測されたエネルギー使用量および単位を含むエネルギーデータを収集するエネルギーデータ収集ステップと、
前記エネルギーデータ収集ステップにおいて収集した各エネルギーデータの中から、エネルギー使用量を集計または表示するエネルギーデータを設定する集計・表示設定ステップと、
エネルギー使用量を集計または表示する際に使用する単位を設定する単位設定ステップと、
前記エネルギーデータ収集ステップにおいて収集したエネルギーデータの中から、前記集計・表示設定ステップにおいて集計対象または表示対象に設定した各エネルギーデータを抽出するエネルギーデータ抽出ステップと、
前記単位テーブル作成／記憶ステップにおいて記憶した単位テーブルおよび前記エネルギーデータ抽出ステップにおいて抽出した各エネルギーデータに含まれる単位に基づいて、対応する各エネルギー使用量を、前記単位設定ステップにおいて設定した単位に換算する単位換算ステップと、
前記集計・表示設定ステップにおいて集計対象に設定した場合に、前記単位換算ステップにおいて単位を換算した各エネルギー使用量を集計するエネルギー使用量集計ステップと、
前記集計・表示設定ステップにおいて表示対象に設定した場合には前記単位換算ステップにおいて単位を換算した各エネルギー使用量に基づいて、前記集計・表示設定ステップにおいて集計対象に設定した場合には前記エネルギー使用量集計ステップにおいて集計したエネルギー使用量に基づいて、エネルギー使用量表示画面の生成・出力を行うエネルギー使用量表示ステップと
を有するエネルギー使用量管理方法。
【請求項４】
前記単位テーブル作成／記憶ステップにおいて記憶した単位テーブルに基づいて、前記集計・表示設定ステップにおいて集計対象または表示対象に設定した各エネルギーデータに含まれる単位の中に、異なるエネルギー種別の単位が存在すると判断した場合に、集計または表示できない旨を通知する設定ミス通知ステップをさらに有する
ことを特徴とする請求項３記載のエネルギー使用量管理方法。
【発明の詳細な説明】
【技術分野】
【０００１】
この発明は、施設内の各計測機器で計測されたエネルギー使用量を所望の単位に換算して集計や表示を行うエネルギー使用量管理装置およびエネルギー使用量管理方法に関するものである。
【背景技術】
【０００２】
従来から、ＢＥＭＳ（Ｂｕｉｌｄｉｎｇ  ａｎｄ  Ｅｎｅｒｇｙ  Ｍａｎａｇｅｍｅｎｔ  Ｓｙｓｔｅｍ）などのエネルギー使用量管理装置では、業務用ビルなどの施設のエネルギー診断や省エネルギー対策を行うため、施設でのエネルギー使用量を計測・管理している。この際、施設内の各エリアに設置されている各種負荷のエネルギー使用量を計測して集計することによって、施設全体のエネルギー使用量を取得している（例えば特許文献１）。
【０００３】
特許文献１に開示されるエネルギー使用量管理装置では、電力量センサにより複数の負荷が接続されたフィーダでのエネルギー使用量を計測し、温度センサにより各種負荷の温度を計測している。そして、フィーダでのエネルギー使用量、各種負荷の温度および各種負荷の稼動時間に基づいて、負荷ごとの実際のエネルギー使用量を演算している。
【先行技術文献】
【特許文献】
【０００４】
【特許文献１】特開２００７−３３３０５号公報
【発明の概要】
【発明が解決しようとする課題】
【０００５】
しかしながら、エネルギー使用量を計測する計測機器によって、使用する単位が異なる場合がある（例えば、一方の計測機器では［ｋＷｈ］で計測を行い、他方の計測機器では［ＭＷｈ］で計測を行っている場合など）。この場合、計測機器ごとに予め使用している単位を確認し、個々に所望の単位に換算したうえで集計を行う必要があり、集計ミスを生じる頻度が高くなってしまうという課題があった。
また、計測機器の入れ替え、追加などを行った際には、その都度、単位の確認を行わなければならず、処理に手間と時間がかかっていたという課題があった。
【０００６】
この発明は、上記のような課題を解決するためになされたもので、エネルギー使用量を計測する計測機器により使用している単位が異なる場合にも、単位の違いを意識することなくエネルギー使用量を集計することができるエネルギー使用量管理装置およびエネルギー使用量管理方法を提供することを目的としている。
【課題を解決するための手段】
【０００７】
この発明に係るエネルギー使用量管理装置は、各エネルギー種別のエネルギー使用量に使用される複数の単位の換算関係を示す単位テーブルを作成・記憶する単位テーブル作成／記憶手段と、施設内の各計測機器により計測されたエネルギー使用量および単位を含むエネルギーデータを収集するエネルギーデータ収集手段と、エネルギーデータ収集手段により収集された各エネルギーデータの中から、エネルギー使用量を集計または表示するエネルギーデータを設定する集計・表示設定手段と、エネルギー使用量を集計または表示する際に使用する単位を設定する単位設定手段と、エネルギーデータ収集手段により収集されたエネルギーデータの中から、集計・表示設定手段により集計対象または表示対象に設定された各エネルギーデータを抽出するエネルギーデータ抽出手段と、単位テーブル作成／記憶手段に記憶された単位テーブルおよびエネルギーデータ抽出手段により抽出された各エネルギーデータに含まれる単位に基づいて、対応する各エネルギー使用量を、単位設定手段により設定された単位に換算する単位換算手段と、集計・表示設定手段により集計対象に設定されている場合に、単位換算手段により単位が換算された各エネルギー使用量を集計するエネルギー使用量集計手段と、集計・表示設定手段により表示対象に設定されている場合には単位換算手段により単位が換算された各エネルギー使用量に基づいて、集計・表示設定手段により集計対象に設定されている場合にはエネルギー使用量集計手段により集計されたエネルギー使用量に基づいて、エネルギー使用量表示画面の生成・出力を行うエネルギー使用量表示手段とを備えたものである。
【０００８】
また、この発明のエネルギー使用量管理方法は、各エネルギー種別のエネルギー使用量に使用される複数の単位の換算関係を示す単位テーブルを作成・記憶する単位テーブル作成／記憶ステップと、施設内の各計測機器により計測されたエネルギー使用量および単位を含むエネルギーデータを収集するエネルギーデータ収集ステップと、エネルギーデータ収集ステップにおいて収集した各エネルギーデータの中から、エネルギー使用量を集計または表示するエネルギーデータを設定する集計・表示設定ステップと、エネルギー使用量を集計または表示する際に使用する単位を設定する単位設定ステップと、エネルギーデータ収集ステップにおいて収集したエネルギーデータの中から、集計・表示設定ステップにおいて集計対象または表示対象に設定した各エネルギーデータを抽出するエネルギーデータ抽出ステップと、単位テーブル作成／記憶ステップにおいて記憶した単位テーブルおよびエネルギーデータ抽出ステップにおいて抽出した各エネルギーデータに含まれる単位に基づいて、対応する各エネルギー使用量を、単位設定ステップにおいて設定した単位に換算する単位換算ステップと、集計・表示設定ステップにおいて集計対象に設定した場合に、単位換算ステップにおいて単位を換算した各エネルギー使用量を集計するエネルギー使用量集計ステップと、集計・表示設定ステップにおいて表示対象に設定した場合には単位換算ステップにおいて単位を換算した各エネルギー使用量に基づいて、集計・表示設定ステップにおいて集計対象に設定した場合にはエネルギー使用量集計ステップにおいて集計したエネルギー使用量に基づいて、エネルギー使用量表示画面の生成・出力を行うエネルギー使用量表示ステップとを有するものである。
【発明の効果】
【０００９】
この発明によれば、各エネルギー種別のエネルギー使用量に使用される複数の単位の換算関係を示す単位テーブルを作成・記憶する単位テーブル作成／記憶手段と、施設内の各計測機器により計測されたエネルギー使用量および単位を含むエネルギーデータを収集するエネルギーデータ収集手段と、エネルギーデータ収集手段により収集された各エネルギーデータの中から、エネルギー使用量を集計または表示するエネルギーデータを設定する集計・表示設定手段と、エネルギー使用量を集計または表示する際に使用する単位を設定する単位設定手段と、エネルギーデータ収集手段により収集されたエネルギーデータの中から、集計・表示設定手段により集計対象または表示対象に設定された各エネルギーデータを抽出するエネルギーデータ抽出手段と、単位テーブル作成／記憶手段に記憶された単位テーブルおよびエネルギーデータ抽出手段により抽出された各エネルギーデータに含まれる単位に基づいて、対応する各エネルギー使用量を、単位設定手段により設定された単位に換算する単位換算手段と、集計・表示設定手段により集計対象に設定されている場合に、単位換算手段により単位が換算された各エネルギー使用量を集計するエネルギー使用量集計手段と、集計・表示設定手段により表示対象に設定されている場合には単位換算手段により単位が換算された各エネルギー使用量に基づいて、集計・表示設定手段により集計対象に設定されている場合にはエネルギー使用量集計手段により集計されたエネルギー使用量に基づいて、エネルギー使用量表示画面の生成・出力を行うエネルギー使用量表示手段とを備えたので、計測機器により異なる単位が使用されている場合にも、単位の違いを意識することなくエネルギー使用量の集計や表示を行うことができ、集計ミスや表示ミスを抑制することができ、効率よく管理を行うことができる。
【図面の簡単な説明】
【００１０】
【図１】この発明の実施の形態１に係るエネルギー使用量管理装置の構成を示すブロック図である。
【図２】この発明の実施の形態１における単位テーブル作成／記憶手段に記憶された単位テーブルを示す図である。
【図３】この発明の実施の形態１におけるエネルギーデータ収集手段に記憶されたエネルギーデータを示す図である。
【図４】この発明の実施の形態１における施設内の各エリアに設置された計測機器による計測例を示す図である。
【図５】この発明の実施の形態１に係るエネルギー使用量管理装置の動作を示すフローチャートである。
【図６】この発明の実施の形態１におけるエネルギー使用量表示手段により表示されるエネルギー使用量表示画面を示す図である。
【発明を実施するための形態】
【００１１】
以下、この発明の実施の形態について図面を参照しながら詳細に説明する。
実施の形態１．
図１はこの発明の実施の形態１に係るエネルギー使用量管理装置１の構成を示すブロック図である。
エネルギー使用量管理装置１は、図１に示すように、単位テーブル作成／記憶手段１１、エネルギーデータ収集手段１２、集計・表示設定手段１３、設定ミス通知手段１４、単位設定手段１５、エネルギーデータ抽出手段１６、単位換算手段１７、エネルギー使用量集計手段１８およびエネルギー使用量表示手段１９から構成されている。
また、エネルギー使用量管理装置１がエネルギー使用量を管理する施設には、各種負荷のエネルギー使用量を計測する各種計測機器（電力量計やガスメータなど）が設置されている。
【００１２】
単位テーブル作成／記憶手段１１は、各エネルギー種別（電力量やガス流量など）のエネルギー使用量に使用される複数の単位の換算関係を示す単位テーブルを予め作成し、記憶するものである。
図２はこの発明の実施の形態１における単位テーブル作成／記憶手段１１に記憶された単位テーブルを示す図である。
単位テーブルには、図２に示すように、各エネルギー種別（電力量、ガス流量）関連や時間関連などのグループごとに、複数の単位が記憶されている。ここで、単位には、ｋＷｈ，ＭＷｈなどのように同一の単位（Ｗｈ）に異なる桁数を示す接頭語（ｋ，Ｍ）が付加されたものや、ｌ，ｍ３などのように単位そのものが異なるものがある。また、単位テーブルには、グループ内において、各単位を基準単位（図２では最小の単位）に換算する際に乗算する定数および１０のべき乗数がそれぞれ記憶されている。
この単位テーブル作成／記憶手段１１により記憶された単位テーブルは設定ミス通知手段１４およびエネルギー使用量集計手段１８により参照される。
【００１３】
エネルギーデータ収集手段１２は、定期的（例えば日、月や年ごとなど）に、施設内に設置された各計測機器からエネルギーデータを収集して、記憶するものである。
図３はこの発明の実施の形態１におけるエネルギーデータ収集手段１２に記憶されたエネルギーデータを示す図である。
エネルギーデータには、図３に示すように、計測機器が設置されたエリア名、計測機器名、計測機器が計測を行うエネルギー種別、計測機器が計測したエネルギー使用量、エネルギー使用量の単位が含まれている。
このエネルギーデータ収集手段１２に記憶されたエネルギーデータは集計・表示設定手段１３、設定ミス通知手段１４およびエネルギー使用量集計手段１８により抽出される。
【００１４】
集計・表示設定手段１３は、エネルギーデータ収集手段１２により収集された各エネルギーデータの中から、エネルギー使用量を集計または表示するエネルギーデータを設定するものである。この集計・表示設定手段１３により集計対象または表示対象に設定された各エネルギーデータを示す情報は、集計対象であるか表示対象であるかを示す情報とともにエネルギーデータ抽出手段１６に供給される。
【００１５】
設定ミス通知手段１４は、集計・表示設定手段１３による設定が正常であるかを判断するものである。この設定ミス通知手段１４は、単位テーブル作成／記憶手段１１に記憶された単位テーブルに基づいて、集計・表示設定手段１３により集計対象または表示対象に設定された各エネルギーデータに含まれる単位が、同じエネルギー種別の単位であるかを判断することにより正常性を判断する。
ここで、設定ミス通知手段１４は、集計対象または表示対象に設定された各エネルギーデータに含まれる単位の中に、異なるエネルギー種別の単位が存在すると判断した場合には、集計または表示することができない旨を警報や表示などによりユーザに通知する。
【００１６】
単位設定手段１５は、集計・表示設定手段１３により集計対象または表示対象に設定された各エネルギーデータに含まれるエネルギー使用量を集計または表示する際に使用する単位を設定するものである。この単位設定手段１５に設定された単位を示す情報は単位換算手段１７に供給される。
【００１７】
エネルギーデータ抽出手段１６は、定期的（例えば日、月や年ごとなど）に、集計・表示設定手段１３により集計対象または表示対象に設定された各エネルギーデータをエネルギーデータ収集手段１２から抽出するものである。このエネルギーデータ抽出手段１６により抽出されたエネルギーデータは単位換算手段１７に供給される。
【００１８】
単位換算手段１７は、単位テーブル作成／記憶手段１１に記憶された単位テーブルおよびエネルギーデータ抽出手段１６により抽出された各エネルギーデータに含まれる単位に基づいて、対応する各エネルギー使用量を、単位設定手段１５により設定された単位に換算するものである。
ここで、例えば、計測値ａ［ＭＷｈ］を単位［ｋＷｈ］に換算する場合には、単位テーブルを参照して、次式のように、計測値に換算後の単位と換算前の単位のべき乗の差を掛けることによって単位の換算を行う。
ａ×１０（６−３）
また、計測値ｂ［時］を単位［分］に換算する場合には、単位テーブルを参照して、次式のように、計測値に換算後の単位と換算前の単位の定数の比を掛けることによって単位の換算を行う。
ｂ×（３６００／６０）
この単位換算手段１７によりエネルギー使用量の単位が換算された各エネルギーデータは、集計対象である場合にはエネルギー使用量集計手段１８に供給され、表示対象である場合にはエネルギー使用量表示手段１９に供給される。
【００１９】
エネルギー使用量集計手段１８は、集計・表示設定手段１３により各エネルギーデータが集計対象に設定されている場合に、この各エネルギーデータに含まれるエネルギー使用量を集計するものである。このエネルギー使用量集計手段１８によりエネルギー使用量が集計されたエネルギーデータはエネルギー使用量表示手段１９に供給される。
【００２０】
エネルギー使用量表示手段１９は、集計・表示設定手段１３により各エネルギーデータが表示対象に設定されている場合には単位換算手段１７によりエネルギー使用量の単位が換算された各エネルギーデータに基づいて、集計対象に設定されている場合にはエネルギー使用量集計手段１８により各エネルギー使用量が集計されたエネルギーデータに基づいて、エネルギー使用量表示画面を生成して、モニタ上に表示、プリンタに印字、通信回線を介して送信するなどして出力するものである。
【００２１】
次に、上記のように構成されたエネルギー使用量管理装置１の動作について説明する。
なお、単位テーブル作成／記憶手段１１は図２に示すような単位テーブルを予め作成して、記憶している（単位テーブル作成／記憶ステップ）。
また、エネルギー使用量の管理対象である施設内には、図４に示すように、各エリア（１Ｆ会議室Ａ〜Ｄ、１Ｆ共用部）に各エネルギー種別（コンセント電力量、照明電力量、空調ガス流量、給湯ガス流量）のエネルギー使用量を計測する各種計測機器（電力量計、ガスメータ）が設置されているとする。
【００２２】
図５はこの発明の実施の形態１に係るエネルギー使用量管理装置１の動作を示すフローチャートである。
エネルギー使用量管理装置１の動作では、図５に示すように、まず、エネルギーデータ収集手段１２は、定期的に、施設内に設置された各計測機器からエネルギーデータを収集して、記憶する（ステップＳＴ５１、エネルギーデータ収集ステップ）。このエネルギーデータ収集手段１２に記憶されたエネルギーデータは集計・表示設定手段１３、設定ミス通知手段１４およびエネルギー使用量集計手段１８により抽出される。
【００２３】
次いで、集計・表示設定手段１３は、エネルギーデータ収集手段１２により収集されたエネルギーデータの中から、エネルギー使用量を集計または表示するエネルギーデータを設定する（ステップＳＴ５２、集計・表示設定ステップ）。この集計・表示設定手段１３により集計対象または表示対象に設定された各エネルギーデータを示す情報は、集計対象であるか表示対象であるかを示す情報とともにエネルギーデータ抽出手段１６に供給される。
【００２４】
次いで、設定ミス通知手段１４は、集計・表示設定手段１３による設定が正常であるかを判断する（ステップＳＴ５３、設定ミス通知ステップ）。すなわち、設定ミス通知手段１４は、単位テーブル作成／記憶手段１１に記憶された単位テーブルに基づいて、集計・表示設定手段１３により集計対象または表示対象に設定された各エネルギーデータに含まれる単位が、同じエネルギー種別の単位であるかを判断することにより正常性を判断する。
【００２５】
このステップＳＴ５３において、設定ミス通知手段１４は、集計対象または表示対象に設定された各エネルギーデータに含まれる単位の中に、異なるエネルギー種別の単位が存在し、集計・表示設定手段１３による設定が異常であると判断した場合には、集計または表示することができない旨を警報や表示などによりユーザに通知する（ステップＳＴ５４）。その後、シーケンスはステップＳＴ５２に戻る。
例えば、図３に示す各エネルギーデータにおいて、１Ｆ会議室Ａのコンセント電力量［ｋＷｈ］と１Ｆ共用部の給湯ガス流量［ｋｌ］は異なるエネルギー種別であるため集計することができない。万一このような異なるエネルギー種別のエネルギーデータが集計対象または表示対象に設定されている場合に、集計または表示できない旨をユーザに通知することによって、集計・表示設定手段１３の再設定を促すことができる。
【００２６】
一方、ステップＳＴ５３において、設定ミス通知手段１４が、集計対象または表示対象である各エネルギーデータに含まれる単位が同じエネルギー種別の単位であり、集計・表示設定手段１３による設定が正常であると判断した場合には、次いで、単位設定手段１５は、集計・表示設定手段１３により集計対象または表示対象に設定された各エネルギーデータに含まれるエネルギー使用量を集計または表示する際に使用する単位を設定する（ステップＳＴ５５、単位設定ステップ）。この単位設定手段１５に設定された単位を示す情報は単位換算手段１７に供給される。
【００２７】
次いで、エネルギーデータ抽出手段１６は、定期的に、集計・表示設定手段１３により集計対象または表示対象に設定された各エネルギーデータをエネルギーデータ収集手段１２から抽出する（ステップＳＴ５６、エネルギーデータ抽出ステップ）。このエネルギーデータ抽出手段１６により抽出されたエネルギーデータは単位換算手段１７に供給される。
【００２８】
次いで、単位換算手段１７は、単位テーブル作成／記憶手段１１に記憶された単位テーブルおよびエネルギーデータ抽出手段１６により抽出された各エネルギーデータに含まれる単位に基づいて、対応する各エネルギー使用量を、単位設定手段１５により設定された単位に換算する（ステップＳＴ５７、単位換算ステップ）。
【００２９】
次いで、単位換算手段１７は、集計・表示設定手段１３により各エネルギーデータが集計対象に設定されているかを判断する（ステップＳＴ５８）。
このステップＳＴ５８において、単位換算手段１７は、集計・表示設定手段１３により各エネルギーデータが集計対象に設定されていない（表示対象に設定されている）と判断した場合には、シーケンスはステップＳＴ５９をスキップしてステップ６０に進む。
【００３０】
一方、ステップＳＴ５８において、単位換算手段１７が、集計・表示設定手段１３により各エネルギーデータが集計対象に設定されていると判断した場合には、次いで、エネルギー使用量集計手段１８は、単位換算手段１７により単位が換算されたエネルギー使用量を集計する（ステップＳＴ５９、エネルギー使用量集計ステップ）。このエネルギー使用量集計手段１８によりエネルギー使用量が集計されたエネルギーデータはエネルギー使用量表示手段１９に供給される。
【００３１】
次いで、エネルギー使用量表示手段１９は、集計・表示設定手段１３により各エネルギーデータが表示対象に設定されている場合には単位換算手段１７によりエネルギー使用量の単位が換算された各エネルギーデータに基づいて、集計対象に設定されている場合にはエネルギー使用量集計手段１８により各エネルギー使用量が集計されたエネルギーデータに基づいて、エネルギー使用量表示画面を生成して、モニタ上に表示、プリンタに印字、通信回線を介して送信するなどして出力する（ステップＳＴ６０、エネルギー使用量表示ステップ）。
ここで、エネルギー使用量表示画面は例えば図６に示すような表形式で出力してもよいし、グラフで出力してもよい。なお図６では、エネルギー使用量表示画面として、月ごとの、電力量関連の各エネルギー使用量を集計した電力量［ＭＷｈ］および複数のガス流量関連の各エネルギー使用量を集計したガス流量［ｋｍ３］を年間で一覧表示したエネルギー使用結果集計表について示している。また、図６では、各種負荷の稼動時間［ｈ］、電力量およびガス流量の合計したエネルギー使用量についても合わせて表示している。
【００３２】
以上のように、この実施の形態１によれば、予め、各エネルギー種別のエネルギー使用量に使用される複数の単位の換算関係を示す単位テーブルを作成・記憶し、各種計測機器により計測されたエネルギー使用量を、単位テーブルに基づいて所望の単位に自動的に換算し、各エネルギー使用量の集計や表示を行うように構成したので、計測機器によって使用する単位が異なる場合にも、この単位の違いを意識することなく所望の単位に自動的に換算して各エネルギー使用量の集計や表示を行うことができ、集計ミスや表示ミスを抑制することができ、効率よく管理を行うことができる。
また、異なる単位を使用する計測機器の追加や、設置されている計測機器で使用する単位の変更があった場合にも、計測機器から出力されるエネルギーデータに含まれる単位に基づき自動的に単位の換算を行うことができる。
【００３３】
また、ユーザがエネルギー使用量を集計または表示するエネルギーデータを設定した際に、単位テーブルに基づき、異なるエネルギー種別のエネルギーデータが混在していると判断した場合に、集計や表示することができない旨を通知するように構成したので、集計や表示することができないことを迅速に検出でき、ユーザにその旨を通知して再設定を促すことができるため、表示・集計処理の信頼性、処理速度を向上させることができる。
【符号の説明】
【００３４】
１  エネルギー使用量管理装置
１１  単位テーブル作成／記憶手段
１２  エネルギーデータ収集手段
１３  集計・表示設定手段
１４  設定ミス通知手段
１５  単位設定手段
１６  エネルギーデータ抽出手段
１７  単位換算手段
１８  エネルギー使用量集計手段
１９  エネルギー使用量表示手段
【図１】
2012043174.tif 000003
【図２】
2012043174.tif 000004
【図３】
2012043174.tif 000005
【図４】
2012043174.tif 000006
【図５】
2012043174.tif 000007
【図６】
2012043174.tif 000008